【手続補正書】
【提出日】平成18年1月12日(2006.1.12)
【手続補正１】
【補正対象書類名】明細書
【補正対象項目名】特許請求の範囲
【補正方法】変更
【補正の内容】
【特許請求の範囲】
【請求項１】  サーバと外部装置と画像形成装置とがネットワーク回線を介して相互に接続されて構成される画像形成システムであって、
前記外部装置において、ユーザを特定することが可能なＩＤ情報を含む画像形成情報を生成する生成手段と、
前記生成手段で生成した画像形成情報を前記画像形成装置へ送信する送信手段と、
前記サーバにおいて、前記画像形成装置の画像の形成における設定情報を管理する管理手段と、
前記画像形成装置において、前記画像形成情報を受信する受信手段と、
前記管理手段において管理されている設定情報であって、前記受信手段で受信した画像形成情報に含まれている前記ＩＤ情報に対応する設定情報を前記サーバに要求し、該サーバより該設定情報を取得する取得手段と、
前記取得手段で取得した設定情報に基づいて、前記画像形成情報に基づく画像を形成する形成手段と
を備えることを特徴とする画像形成システム。
【請求項２】  サーバと外部装置と画像形成装置とがネットワーク回線を介して相互に接続されて構成される画像形成システムであって、
前記外部装置において、ユーザを特定することが可能なＩＤ情報を含む画像形成情報を生成する生成手段と、
前記生成手段で生成した画像形成情報を前記画像形成装置へ送信する画像形成情報送信手段と、
前記サーバにおいて、前記画像形成装置の画像の形成における設定情報を管理する管理手段と、
前記画像形成装置において、前記画像形成情報を受信する受信手段と、
前記管理手段において管理されている設定情報であって、前記受信手段で受信した画像形成情報に含まれている前記ＩＤ情報に対応する設定情報を前記サーバより取得する取得手段と、
前記取得手段で取得した設定情報に基づいて、前記画像形成情報に基づく画像を形成する形成手段と、
前記管理手段において管理されている設定情報を更新するために、前記形成手段による画像形成を行った結果に基づく情報を前記サーバに送信する更新情報送信手段と、
を備えることを特徴とする画像形成システム。
【請求項３】  サーバと外部装置と画像形成装置とがネットワーク回線を介して相互に接続されて構成される画像形成システムであって、
前記外部装置において、ユーザを特定することが可能なＩＤ情報を含む画像形成情報を生成する生成手段と、
前記生成手段で生成した画像形成情報を前記画像形成装置へ送信する画像形成情報送信手段と、
前記サーバにおいて、前記画像形成装置の画像の形成における設定情報を管理する管理手段と、
前記画像形成装置において、前記画像形成情報を受信する受信手段と、
前記管理手段において管理されている設定情報であって、前記受信手段で受信した画像形成情報に含まれている前記ＩＤ情報に対応する設定情報を取得する取得手段と、
前記受信手段で受信した画像形成情報に基づく画像を形成する形成手段と、
前記取得手段で取得した設定情報に基づいて、前記画像形成情報に基づく画像を形成することが可能であるか否かを判定する判定手段と、
前記判定手段により、前記画像形成情報に基づく画像を形成することが可能であると判定された場合に、該画像形成情報に基づく画像を形成するよう前記形成手段を制御する制御手段と、
前記管理手段において管理されている設定情報を更新するために、前記形成手段による画像形成を行った結果に基づく情報を、前記ネットワーク回線を介してサーバに送信する更新情報送信手段と、
を備えることを特徴とする画像形成システム。
【請求項４】  前記管理手段を備えるサーバと、前記送信手段から前記形成手段による画像形成を行った結果に基づく情報を送信するサーバとは、同一のサーバである
ことを特徴とする請求項３に記載の画像形成システム。
【請求項５】  前記画像形成装置は、少なくとも、プリンタ、ファクシミリ装置を含む
ことを特徴とする請求項１〜４のいずれか１項に記載の画像形成システム。
【請求項６】  ネットワーク回線を介して、サーバと外部装置に接続された画像形成装置であって、
前記外部装置からユーザを特定することが可能なＩＤ情報を含む画像形成情報を受信する受信手段と、
前記受信手段で受信した画像形成情報に含まれている前記ＩＤ情報に対応する設定情報を前記サーバに要求し、該サーバより該設定情報を獲得する獲得手段と、
前記獲得手段で獲得した設定情報に基づいて、前記画像形成情報に基づく画像を形成する形成手段と
を備えることを特徴とする画像形成装置。
【請求項７】  ネットワーク回線を介して、サーバと外部装置に接続された画像形成装置であって、
前記外部装置からユーザを特定することが可能なＩＤ情報を含む画像形成情報を受信する受信手段と、
前記受信手段で受信した画像形成情報に含まれている前記ＩＤ情報に対応する設定情報を前記サーバより獲得する獲得手段と、
前記獲得手段で獲得した設定情報に基づいて、前記画像形成情報に基づく画像を形成する形成手段と、
前記サーバにおいて管理されている設定情報を更新するために、前記形成手段による画像形成を行った結果に基づく情報を前記サーバに送信する送信手段と、
を備えることを特徴とする画像形成装置。
【請求項８】  ネットワーク回線を介して、サーバと外部装置に接続された画像形成装置であって、
前記外部装置からユーザを特定することが可能なＩＤ情報を含む画像形成情報を受信する受信手段と、
前記受信手段で受信した画像形成情報に含まれている前記ＩＤ情報に対応する設定情報を、前記ネットワーク回線を介して獲得する獲得手段と、
前記受信手段で受信した画像形成情報に基づく画像を形成する形成手段と、
前記獲得手段で獲得した設定情報に基づいて、前記画像形成情報に基づく画像を形成することが可能であるか否かを判定する判定手段と、
前記判定手段により、前記画像形成情報に基づく画像を形成することが可能であると判定された場合に、該画像形成情報に基づく画像を形成するよう前記形成手段を制御する制御手段と、
前記形成手段による画像形成を行った結果に基づく情報を、前記サーバに送信する送信手段と、
を備えることを特徴とする画像形成装置。
【請求項９】  ネットワーク回線を介して、外部装置に接続された画像形成装置であって、
前記外部装置からユーザを特定することが可能なＩＤ情報を含む画像形成情報を受信する受信手段と、
画像形成時に使用する機能のうち使用可能または使用不可能に設定された機能を示す条件情報であって、前記受信手段で受信した画像形成情報に含まれている前記ＩＤ情報に対応する条件情報を、前記ネットワーク回線を介して獲得する獲得手段と、
前記受信手段で受信した画像形成情報に基づく画像を形成する形成手段と、
前記獲得手段で獲得した条件情報に基づいて、前記画像形成情報に基づく画像を形成することが可能であるか否かを判定する判定手段と、
前記判定手段により、前記画像形成情報に基づく画像を形成することが可能であると判定された場合に、該画像形成情報に基づく画像を形成するよう前記形成手段を制御する制御手段と、
を備えることを特徴とする画像形成装置。
【請求項１０】  前記ＩＤ情報は、ユーザ毎に割り振られたユーザＩＤ情報である
ことを特徴とする請求項６〜９のいずれか１項に記載の画像形成装置。
【請求項１１】  前記ＩＤ情報は、前記画像形成情報の作成者を示す
ことを特徴とする請求項６〜９のいずれか１項に記載の画像形成装置。
【請求項１２】  前記ＩＤ情報は、前記画像形成情報を生成した外部装置を示す
ことを特徴とする請求項６〜９のいずれか１項に記載の画像形成装置。
【請求項１３】  前記ＩＤ情報は、パスワード情報も含む
ことを特徴とする請求項６〜９のいずれか１項に記載の画像形成装置。
【請求項１４】  前記画像形成情報は、前記設定情報が管理されているサーバへアクセスするためのアクセス情報も含み、
前記獲得手段は、前記アクセス情報が示すサーバにアクセスし、該アクセス情報に対応する設定情報を獲得する
ことを特徴とする請求項６〜８のいずれか１項に記載の画像形成装置。
【請求項１５】  前記アクセス情報は、前記サーバのネットワークアドレスである
ことを特徴とする請求項１４に記載の画像形成装置。
【請求項１６】  前記アクセス情報は、前記サーバのネットワークアドレスに加えて、前記設定情報の存在するファイルを示す情報も含む
ことを特徴とする請求項１５に記載の画像形成装置。
【請求項１７】  前記サーバは、フォントデータを保持するためのフォント保持手段を備え、
前記設定情報は、フォントデータの設定を含む
ことを特徴とする請求項６〜８のいずれか１項に記載の画像形成装置。
【請求項１８】  前記サーバは、前記形成手段で形成可能な補助画像を保持するための補助画像保持手段を備え、
前記設定情報は、補助画像の設定を含む
ことを特徴とする請求項６〜８のいずれか１項に記載の画像形成装置。
【請求項１９】  前記設定情報は、画像形成情報に基づく画像の形成が正常終了した場合の対処の設定を含む
ことを特徴とする請求項６〜８のいずれか１項に記載の画像形成装置。
【請求項２０】  前記設定情報は、エラーが発生した場合の対処の設定を含む
ことを特徴とする請求項６〜８のいずれか１項に記載の画像形成装置。
【請求項２１】  前記画像形成情報に基づく画像の形成に関する表示を行う表示手段を更に備え、
前記設定情報は、前記表示手段で表示する表示内容の設定を含む
ことを特徴とする請求項６〜８のいずれか１項に記載の画像形成装置。
【請求項２２】  前記設定情報は、画像形成時に使用する機能のうち使用可能または使用不可能に設定された機能を示す条件情報を含む
ことを特徴とする請求項６〜８のいずれか１項に記載の画像形成装置。
【請求項２３】  前記条件情報は、カラーによる画像形成の可否を示す情報を含む
ことを特徴とする請求項９または２２に記載の画像形成装置。
【請求項２４】  前記条件情報は、モノクロによる画像形成の可否を示す情報を含む
ことを特徴とする請求項９または２２に記載の画像形成装置。
【請求項２５】  前記条件情報は、片面画像形成の可否を示す情報を含む
ことを特徴とする請求項９または２２に記載の画像形成装置。
【請求項２６】  前記設定情報は、使用可能な画像形成枚数の設定を含む
ことを特徴とする請求項６〜８のいずれか１項に記載の画像形成装置。
【請求項２７】  前記設定情報は、各設定の種類とその内容とがリスト形式となって構成される
ことを特徴とする請求項６〜８のいずれか１項に記載の画像形成装置。
【請求項２８】  前記設定情報は、スクリプトで構成される
ことを特徴とする請求項６〜８のいずれか１項に記載の画像形成装置。
【請求項２９】  前記設定情報は、プログラムで構成される
ことを特徴とする請求項６〜８のいずれか１項に記載の画像形成装置。
【請求項３０】  前記ＩＤ情報は、前記外部装置の機種グループを示す機種グループＩＤ情報も含み、
前記獲得手段は、前記機種グループＩＤ情報に対応する設定情報を前記サーバより獲得する
ことを特徴とする請求項６〜９のいずれか１項に記載の画像形成装置。
【請求項３１】  前記ＩＤ情報は、前記外部装置の機種を示す機種ＩＤ情報も含み、
前記獲得手段は、前記機種ＩＤ情報に対応する設定情報を前記サーバより獲得することを特徴とする請求項６〜９のいずれか１項に記載の画像形成装置。
【請求項３２】  前記設定情報は複数の要素から構成され、
前記獲得手段は、必要に応じて前記設定情報の一部を獲得する
ことを特徴とする請求項６〜８のいずれか１項に記載の画像形成装置。
【請求項３３】  前記受信手段は、公衆回線を介して、前記外部装置からファクシミリ通信を用いて前記画像形成情報を受信する
ことを特徴とする請求項６〜９のいずれか１項に記載の画像形成装置。
【請求項３４】  ネットワーク回線を介して、サーバと外部装置に接続された画像形成装置の制御方法であって、
前記外部装置からユーザを特定することが可能なＩＤ情報を含む画像形成情報を受信する受信工程と、
前記受信工程で受信した画像形成情報に含まれている前記ＩＤ情報に対応する設定情報を前記サーバに要求し、該サーバより該設定情報を獲得する獲得工程と、
前記獲得工程で獲得した設定情報に基づいて、前記画像形成情報に基づく画像を形成する形成工程と
を備えることを特徴とする画像形成装置の制御方法。
【請求項３５】  ネットワーク回線を介して、サーバと外部装置に接続された画像形成装置の制御方法であって、
前記外部装置からユーザを特定することが可能なＩＤ情報を含む画像形成情報を受信する受信工程と、
前記受信工程で受信した画像形成情報に含まれている前記ＩＤ情報に対応する設定情報を前記サーバより獲得する獲得工程と、
前記獲得工程で獲得した設定情報に基づいて、前記画像形成情報に基づく画像を形成する形成工程と、
前記サーバにおいて管理されている設定情報を更新するために、前記形成工程で画像形成を行った結果に基づく情報を前記サーバに送信する送信工程と
を備えることを特徴とする画像形成装置の制御方法。
【請求項３６】  ネットワーク回線を介して、サーバと外部装置に接続された画像形成装置の制御方法であって、
前記外部装置からユーザを特定することが可能なＩＤ情報を含む画像形成情報を受信する受信工程と、
前記受信工程で受信した画像形成情報に含まれている前記ＩＤ情報に対応する設定情報を、前記ネットワーク回線を介して獲得する獲得工程と、
前記受信工程で受信した画像形成情報に基づく画像を形成する形成工程と、
前記獲得工程で獲得した設定情報に基づいて、前記画像形成情報に基づく画像を形成することが可能であるか否かを判定する判定工程と、
前記判定工程で、前記画像形成情報に基づく画像を形成することが可能であると判定された場合に、該画像形成情報に基づく画像を形成するよう前記形成工程を制御する制御工程と、
前記形成工程で画像形成を行った結果に基づく情報を、前記サーバに送信する送信工程と、
を備えることを特徴とする画像形成装置の制御方法。
【請求項３７】  ネットワーク回線を介して、外部装置に接続された画像形成装置の制御方法であって、
前記外部装置からユーザを特定することが可能なＩＤ情報を含む画像形成情報を受信する受信工程と、
画像形成時に使用する機能のうち使用可能または使用不可能に設定された機能を示す条件情報であって、前記受信工程で受信した画像形成情報に含まれている前記ＩＤ情報に対応する条件情報を、前記ネットワーク回線を介して獲得する獲得工程と、
前記受信工程で受信した画像形成情報に基づく画像を形成する形成工程と、
前記獲得工程で獲得した条件情報に基づいて、前記画像形成情報に基づく画像を形成することが可能であるか否かを判定する判定工程と、
前記判定工程で、前記画像形成情報に基づく画像を形成することが可能であると判定された場合に、該画像形成情報に基づく画像を形成するよう前記形成工程を制御する制御工程と、
を備えることを特徴とする画像形成装置の制御方法。
【請求項３８】  ネットワーク回線を介して、サーバと外部装置に接続された画像形成装置の制御のプログラムコードが格納されたコンピュータ可読メモリであって、
前記外部装置からユーザを特定することが可能なＩＤ情報を含む画像形成情報を受信する受信工程のプログラムコードと、
前記受信工程で受信した画像形成情報に含まれている前記ＩＤ情報に対応する設定情報を前記サーバに要求し、該サーバより該設定情報を獲得する獲得工程のプログラムコードと、
前記獲得工程で獲得した設定情報に基づいて、前記画像形成情報に基づく画像を形成する形成工程のプログラムコードと
を備えることを特徴とするコンピュータ可読メモリ。
【請求項３９】  ネットワーク回線を介して、サーバと外部装置に接続された画像形成装置の制御プログラムコードが格納されたコンピュータ可読メモリであって、
前記外部装置からユーザを特定することが可能なＩＤ情報を含む画像形成情報を受信する受信工程のプログラムコードと、
前記受信工程で受信した画像形成情報に含まれている前記ＩＤ情報に対応する設定情報を前記サーバより獲得する獲得工程のプログラムコードと、
前記獲得工程で獲得した設定情報に基づいて、前記画像形成情報に基づく画像を形成する形成工程のプログラムコードと、
前記サーバにおいて管理されている設定情報を更新するために、前記形成工程で画像形成を行った結果に基づく情報を前記サーバに送信する送信工程のプログラムコードと
を備えることを特徴とするコンピュータ可読メモリ。
【請求項４０】  ネットワーク回線を介して、サーバと外部装置に接続された画像形成装置の制御プログラムコードが格納されたコンピュータ可読メモリであって、
前記外部装置からユーザを特定することが可能なＩＤ情報を含む画像形成情報を受信する受信工程のプログラムコードと、
前記受信工程で受信した画像形成情報に含まれている前記ＩＤ情報に対応する設定情報を、前記ネットワーク回線を介して獲得する獲得工程のプログラムコードと、
前記受信工程で受信した画像形成情報に基づく画像を形成する形成工程のプログラムコードと、
前記獲得工程で獲得した設定情報に基づいて、前記画像形成情報に基づく画像を形成することが可能であるか否かを判定する判定工程のプログラムコードと、
前記判定工程で、前記画像形成情報に基づく画像を形成することが可能であると判定された場合に、該画像形成情報に基づく画像を形成するよう前記形成工程を制御する制御工程のプログラムコードと、
前記形成工程で画像形成を行った結果に基づく情報を、前記サーバに送信する送信工程のプログラムコードと、
を備えることを特徴とするコンピュータ可読メモリ。
【請求項４１】  ネットワーク回線を介して、外部装置に接続された画像形成装置の制御プログラムコードが格納されたコンピュータ可読メモリであって、
前記外部装置からユーザを特定することが可能なＩＤ情報を含む画像形成情報を受信する受信工程のプログラムコードと、
画像形成時に使用する機能のうち使用可能または使用不可能に設定された機能を示す条件情報であって、前記受信工程で受信した画像形成情報に含まれている前記ＩＤ情報に対応する条件情報を、前記ネットワーク回線を介して獲得する獲得工程のプログラムコードと、
前記受信工程で受信した画像形成情報に基づく画像を形成する形成工程のプログラムコードと、
前記獲得工程で獲得した条件情報に基づいて、前記画像形成情報に基づく画像を形成することが可能であるか否かを判定する判定工程のプログラムコードと、
前記判定工程で、前記画像形成情報に基づく画像を形成することが可能であると判定された場合に、該画像形成情報に基づく画像を形成するよう前記形成工程を制御する制御工程のプログラムコードと、
を備えることを特徴とするコンピュータ可読メモリ。